(57)【要約】【課題】  遊技釘付きの遊技板を容易且つ安価に製造でき、しかも裏側の画像の透視に対する障害を極力防止できるようにする。    【解決手段】  透明な合成樹脂製の遊技板１６を有する遊技盤５と、遊技盤５の裏側に配置された画像表示装置６とを備え、遊技板１６は多数の釘孔３０が貫通状に形成され且つ釘孔３０に遊技釘２６が前側から挿入された釘保持板２７と、釘保持板２７の裏側に面接触又は近接して配置され且つ遊技釘２６の打ち込みを防止する裏板２８とを備える。裏板２８の前面に、遊技釘２６の後端に対応して球面状等の凹部を備えても良い。また釘保持板２７の前側に面接触又は近接して配置された前板を備え、前板に遊技釘２６が貫通する貫通孔を形成しても良い。【選択図】    図２
2010188161.tif 000002
【特許請求の範囲】
【請求項１】
透明な合成樹脂製の遊技板（１６）を有する遊技盤（５）と、該遊技盤（５）の裏側に配置された画像表示装置（６）とを備えた弾球遊技機において、前記遊技板（１６）は多数の釘孔（３０）が貫通状に形成され且つ該釘孔（３０）に遊技釘（２６）が前側から挿入された釘保持板（２７）と、該釘保持板（２７）の裏側に面接触又は近接して配置され且つ前記遊技釘（２６）の打ち込みを防止する裏板（２８）とを備えたことを特徴とする弾球遊技機。
【請求項２】
前記裏板（２８）の前面に、前記遊技釘（２６）の後端に対応して球面状等の凹部（３６）を有することを特徴とする請求項１に記載の弾球遊技機。
【請求項３】
前記釘保持板（２７）の前側に面接触又は近接して配置された前板（３３）を備え、該前板（３３）に前記遊技釘（２６）が貫通する貫通孔（３７）を形成したことを特徴とする請求項１に記載の弾球遊技機。
【請求項４】
前記裏板（２８）は前記釘保持板（２７）から分離可能であることを特徴とする請求項１〜３の何れかに記載の弾球遊技機。
【請求項５】
前記遊技板（１６）を構成する前記各板（２７）（２８）（３３）は所定厚さの平板であることを特徴とする請求項１〜４の何れかに記載の弾球遊技機。
【請求項６】
前記遊技板（１６）を構成する前記各板（２７）（２８）（３３）をその外周側の保持具（２９）により一体化したことを特徴とする請求項１〜５の何れかに記載の弾球遊技機。
【発明の詳細な説明】
【技術分野】
【０００１】
本発明は、透明な合成樹脂製の遊技板を有する遊技盤と、この遊技盤の裏側に配置された液晶表示手段等の画像表示手段とを備えた弾球遊技機に関するものである。
【背景技術】
【０００２】
弾球遊技機の遊技盤に使用する遊技板には、従来のベニヤ板等の木製のものの他に、発泡層の表裏両側にスキン層を備えた合成樹脂製のもの（特許文献１）、裏側に突出するボス部に釘孔を貫通状に成形した合成樹脂製のもの（特許文献２）等がある。この合成樹脂製の遊技板は、木材資源の減少に伴いその入手が困難であること、廃棄後に資源として再利用するリサイクル化を容易に促進できること等の要請によるものである。
【０００３】
一方、近時の弾球遊技機には、木製の遊技板の代替品として合成樹脂製の遊技板を使用するのではなく、合成樹脂材料の特質を生かして遊技板の全体を透明にし、この遊技板の裏側に、その遊技領域に対応する大きさの液晶表示手段を配置して、遊技板の遊技領域の略全面にその裏側の液晶表示手段の画像を演出表示できるようにしたものが提案されている。
【先行技術文献】
【特許文献】
【０００４】
【特許文献１】特開平１０−９４６４２号公報
【特許文献２】特開平４−３５４９６０号公報
【発明の概要】
【発明が解決しようとする課題】
【０００５】
前者の発泡材を使用した遊技板は、その成型後に木製のものと同様に釘打ち機を使用して遊技釘を打ち込むことが可能である。また後者の遊技板は、釘孔が予め成形されているため、その釘孔に遊技釘を挿入すれば良い。
【０００６】
しかし、透明な遊技板の場合には、発泡材を使用したものとは異なって成型後に遊技釘を打ち込むことは非常に困難であり、また仮に打ち込み得たとしても、遊技釘の打ち込み部分の周辺に歪みが生じて、それが裏側の液晶表示手段の画像を透視する際の障害となる惧れがある。
【０００７】
更に透明な遊技板の裏側に、釘孔を有するボス部等を設ける場合には、その遊技板の裏面側が凹凸状になって厚さが不均一になるため、遊技板を介して液晶表示手段の画像を透視する際に画像に歪みが生じる欠点がある。
【０００８】
従って、遊技板に透明な合成樹脂材料を使用して、この遊技板を介してその裏側の液晶表示手段の画像を透視可能にするような場合には、遊技板の成型後に遊技釘を打ち込むことは勿論のこと、遊技板の成型時に、釘孔を有するボス部を一体に形成しておき、成型後にその釘孔に遊技釘を挿入するようなこともできない。
【０００９】
本発明は、このような従来の問題点に鑑み、遊技釘付きの遊技板を容易且つ安価に製造でき、しかも裏側の画像の透視に対する障害を極力防止できる弾球遊技機を提供することを目的とする。
【課題を解決するための手段】
【００１０】
本発明は、透明な合成樹脂製の遊技板１６を有する遊技盤５と、該遊技盤５の裏側に配置された画像表示装置６とを備えた弾球遊技機において、前記遊技板１６は多数の釘孔３０が貫通状に形成され且つ該釘孔３０に遊技釘２６が前側から挿入された釘保持板２７と、該釘保持板２７の裏側に面接触又は近接して配置され且つ前記遊技釘２６の打ち込みを防止する裏板２８とを備えたものである。
【００１１】
前記裏板２８の前面に、前記遊技釘２６の後端に対応して球面状等の凹部３６を備えても良い。また前記釘保持板２７の前側に面接触又は近接して配置された前板３３を備え、該前板３３に前記遊技釘２６が貫通する貫通孔３７を形成しても良い。更に前記裏板２８は前記釘保持板２７から分離可能にしても良い。前記遊技板１６を構成する前記各板２７，２８，３３は所定厚さの平板でも良いし、また前記遊技板１６を構成する前記各板２７，２８，３３はその外周側の保持具２９により一体化しても良い。
【発明の効果】
【００１２】
本発明では、遊技釘２６付きの遊技板１６を容易且つ安価に製造でき、しかも裏側の画像の透視に対する障害を極力防止できる利点がある。
【図面の簡単な説明】
【００１３】
【図１】本発明の第１の実施例を示すパチンコ機の正面図である。
【図２】本発明の第１の実施例を示すパチンコ機の縦断面図である。
【図３】本発明の第１の実施例を示す遊技盤の正面図である。
【図４】本発明の第１の実施例を示す遊技板の分解斜視図である。
【図５】本発明の第１の実施例を示す遊技板の拡大断面図である。
【図６】本発明の第１の実施例を示す要部の斜視図である。
【図７】本発明の第２の実施例を示す遊技板の拡大断面図である。
【図８】本発明の第３の実施例を示す遊技板の拡大断面図である。
【図９】本発明の第３の実施例を示す要部の斜視図である。
【図１０】本発明の第３の実施例を示す遊技板の分解斜視図である。
【図１１】本発明の第４の実施例を示す要部の斜視図及び断面図である。
【図１２】本発明の第５の実施例を示すシートの正面図である。
【図１３】本発明の第５の実施例を示す遊技板の拡大断面図である。
【発明を実施するための形態】
【００１４】
以下、本発明の各実施例を図面に基づいて詳述する。図１〜図６は本発明をパチンコ機に採用した本発明の第１の実施例を示す。このパチンコ機１は、図１、図２に示すように矩形状の外枠２と、この外枠２の前側に上下一対のヒンジ３を介して開閉自在に枢着された前枠４とを備えている。前枠４には遊技盤５と、この遊技盤５の裏側に配置された画像表示手段である液晶表示手段６とが装着され、その遊技盤５の前側にガラス扉７と前面板８とが上下に配置されている。ガラス扉７、前面板８は前枠４に開閉自在に枢支されている。
【００１５】
前枠４の下部には余剰球を貯留する下皿９と、遊技盤５の遊技領域Ａへと遊技球を発射する発射手段１０とが左右に配置されている。発射手段１０は発射レール１１と、発射レール１１上の遊技球を打撃する打撃槌１２と、打撃槌１２を駆動する発射モータ１３と、発射ハンドル１４とを備え、遊技者が発射ハンドル１４を把持して回動操作したときに、発射モータ１３が打撃槌１２を駆動して発射レール１１上の遊技球を遊技盤５側へと発射させるようになっている。前面板８には、その前面に発射用の遊技球を貯留する上皿１５が装着されている。
【００１６】
遊技盤５は透明な合成樹脂製の遊技板１６を備え、前枠４の裏側に固定された遊技盤装着枠１７を介して前枠４の裏側に着脱自在に装着されている。遊技盤５の前面には、ガラス扉７の窓孔７ａと略対応するように、発射手段１０により発射された遊技球を遊技領域Ａへと案内する外ガイドレール１８及び内ガイドレール１９が装着されている。遊技盤装着枠１７は遊技盤５が裏側等から嵌合する構造であって、裏側に締結具２０により遊技盤５を締め付けて固定するようになっている。
【００１７】
液晶表示手段６は遊技盤５に略対応する大きさの矩形状であって、遊技盤５との間に所定の間隔を置いた状態で、遊技盤装着枠１７に取り付け部材２１を介して取り付けられる等、前枠４の裏側に着脱自在に装着されている。そして、この液晶表示手段６は少なくとも遊技盤５の遊技領域Ａの裏側に対応しており、前側のガラス扉７の窓孔７ａから遊技盤５の遊技領域Ａ及びその周辺部分（ガイドレール１８，１９による球案内通路）を介して液晶表示手段６の画像を透視できるようになっている。
【００１８】
遊技盤５は、図３に示すように遊技板１６の前面に外ガイドレール１８、内ガイドレール１９が装着され、その内ガイドレール１９の内側の遊技領域Ａの下部側等の所定部位に始動手段２２、大入賞手段２３、普通入賞手段２４等の所定の遊技部品が装着され、また上部、左右両側等の所定部位に球案内用庇部２５、遊技釘２６等が設けられている。
【００１９】
遊技板１６は、図２、図４、図５に示すように、多数の遊技釘２６が貫通状に装着された釘保持板２７と、この釘保持板２７の裏面に重ね合わされた裏板２８とを備え、その釘保持板２７及び裏板２８が外周側に着脱自在に設けられた保持具２９により一体化されている。釘保持板２７は遊技釘２６を保持するに十分な強度を有する透明な合成樹脂製の平板であって、多数の遊技釘２６用の釘孔３０がドリル加工等の機械加工により前後方向に貫通状に形成されると共に、始動手段２２、大入賞手段２３等の各遊技部品を装着するための装着孔、又は球通路等がドリル加工等の機械加工により前後方向に貫通状に形成されている。
【００２０】
遊技釘２６は、図６（ａ）（ｂ）に示すように、丸棒状の本体部２６ａの前端側に半球面状の頭部２６ｂを、本体部２６ａの後端側に球面状の球面端部２６ｃを夫々有し、その球面端部２６ｃ側が釘孔３０に前面側から圧入等により挿入されている。釘孔３０は遊技釘２６の遊技板１６に対する取り付け角度に応じて若干前上がり状に形成され、その内径は遊技釘２６の本体部２６ａを圧入したときに、釘保持板２７の釘孔３０周辺に亀裂その他の歪みが発生しないように、本体部２６ａの直径よりも若干小さくなっている。
【００２１】
裏板２８は釘調整時の遊技釘２６の打ち込みを防止するためのもので、釘保持板２７の裏側にその略全面が均等に面接触するように、釘保持板２７の裏面に重ね合わされている。この裏板２８には釘保持板２７よりも硬い平板材が使用されており、その前面に遊技釘２６の球面端部２６ｃが当接又は近接している。なお、裏板２８には釘保持板２７側の始動手段２２、大入賞手段２３等の各遊技部品の装着孔に対応する装着孔、又は球通路に対応する球通路等がドリル加工等の機械加工により前後方向に貫通状に形成されている。
【００２２】
保持具２９は釘保持板２７、裏板２８の外周部側が着脱自在に嵌合する断面Ｌ字状等の保持枠２９ａと、この保持枠２９ａとの間で釘保持板２７、裏板２８の外周部側を前後に挟む押さえ枠２９ｂとを備え、その押さえ枠２９ｂが周方向に複数個のネジ２９ｃにより保持枠２９ａに着脱自在に締結されている。保持具２９はネジ２９ｃを外すことにより、必要に応じて保持枠２９ａと押さえ枠２９ｂとに分解可能である。従って、遊技板１６は保持具２９を分解することによって、遊技釘２６を有する釘保持板２７と、その裏側の裏板２８とに分離可能である。なお、保持枠２９ａの前側下部には、発射レール１１からガイドレール１８，１９側へと遊技球が通過する部分に切欠き部２９ｄが設けられている。
【００２３】
液晶表示手段６は、図３に点線で示すように、遊技領域Ａの上部中央に対応する位置に特別図柄表示部３２を画像表示すると共に、その周辺部分に他のデモ画像、背景画像等を表示するようになっている。特別図柄表示部３２は左右方向に複数個、例えば３個の特別図柄３２ａを表示するものであって、その特別図柄３２ａは始動手段２２の遊技球の検出を条件に所定時間変動して、その変動後に特定態様の大当たり図柄と、それ以外の外れ図柄との何れかで停止するようになっている。なお、特別図柄３２ａが大当たり図柄で停止した場合に、大入賞手段２３が開放する特別遊技状態を発生させるようになっている。
【００２４】
遊技盤５の裏側下部には、始動手段２２、大入賞手段２３等を経て遊技盤５の裏側に通過した遊技球を機外へと案内するための案内手段（図示省略）が設けられている。
【００２５】
遊技盤５の製造に際しては、所定の透明な合成樹脂製の平板を使用して釘保持板２７と裏板２８を製作する。例えば釘保持板２７は、所定の平板材を所定の寸法に切断した後、所定の部位に装着孔等を機械加工すると共に、所定の部位に所定の配列で多数の釘孔３０を形成する。装着孔、釘孔３０等は何れも釘保持板２７に貫通状に形成する。このため切り粉等の削り滓の除去が容易であり、削り滓等が孔底に溜まるようなことがないので、作業を容易且つ能率的に行うことができる。
【００２６】
孔加工後の釘保持板２７を釘打ち機にセットして、釘打ち機により、遊技釘２６の本体部２６ａを釘保持板２７の各釘孔３０に前面側から圧入により挿入する。この場合、本体部２６ａの球面端部２６ｃ側から遊技釘２６を釘孔３０に挿入するため、釘孔３０の前端内周縁等に引っ掛かることなく遊技釘２６を円滑に圧入することができ、またその圧入によって、各遊技釘２６を釘保持板２７に固定することができる。
【００２７】
同様にして裏板２８に装着孔等を孔加工した後、釘保持板２７の裏面に裏板２８を重ね合わせて、装着孔等が一致するように釘保持板２７と裏板２８とを位置決めし、その状態で保持具２９により一体に結合して１個の釘保持板２７を組み立てる。
【００２８】
この組み立て状態では遊技釘２６の球面端部２６ｃが裏板２８に当接又は近接した状態になっている。従って、遊技釘２６の釘調整に際して遊技釘２６を打ち込み方向に叩くようなことがあっても、この裏板２８によって遊技釘２６の打ち込みを防止することができる。このため遊技釘２６の高さが変化するようなこともなく、各遊技釘２６の高さを略一定に保つことができる。また遊技釘２６の球面端部２６ｃが裏板２８に対応しているので、遊技釘２６の先端が裏板２８に刺さることもない。
【００２９】
特に遊技釘２６が挿入される釘保持板２７と、その遊技釘２６の打ち込みを防止する裏板２８とに分けることによって、釘保持板２７にはＰＥＴＧ、ＭＭＡ、ＰＶＣ等のように安価で比較的柔らかく遊技釘２６の圧入保持に最適な材料を選択し、裏板２８にはＰＣのように多少高価でも遊技釘２６の打ち込み阻止に最適な材料を選択する等、釘保持板２７及び裏板２８の夫々に最適な材料を自由に選択することができる。
【００３０】
更に釘保持板２７、裏板２８は接着等をしておらず、外周側の保持具２９で分離可能に一体に保持しているので、釘調整その他に際して遊技釘２６の本体部２６ａが根元から折れたような場合でも、釘保持板２７と裏板２８とを分離した後、釘保持板２７側の釘孔３０内の残り部分を打ち抜くことによって容易に除去することができる。従って、遊技釘２６が折損したときの補修や、遊技部品が損傷したときの交換等の作業を容易に行うことができる。
【００３１】
図７は本発明の第２の実施例を例示する。遊技板１６の外周側の保持具２９は、図７（ａ）又は（ｂ）に示すようなものでも良い。図７（ａ）では、保持枠２９ａから釘保持板２７、裏板２８を貫通して押さえ枠２９ｂ側に螺合するビス２９ｅを設け、このビス２９ｅにより締結するようにしたものである。なお、ビス２９ｅは押さえ枠２９ｂ側から挿入して保持枠２９ａに螺合するようにしても良い。
【００３２】
図７（ｂ）では、断面Ｌ字状等に形成された矩形状の保持枠２９ａに、支軸２９ｆ廻りに回動自在に枢支された周方向に複数個のクランプ爪２９ｇを設け、このクランプ爪２９ｇをクランプ位置と解除位置との間で支軸２９ｆ廻りに回動させるようにしている。
【００３３】
釘保持板２７と裏板２８は、このような構成の保持具２９により一体化しても良く、特定の構造に限定されるものではない。但し、遊技盤装着枠１７に装着する前の時点での遊技盤５の取り扱い等を考慮した場合には、釘保持板２７の外周側を保持具２９で囲む構造の方がその損傷を防止する上で効果的ある。
【００３４】
図８〜図１０は本発明の第３の実施例を例示する。この実施例の遊技板１６は、釘保持板２７の前後両側に微小な間隙Ｓ１，Ｓ２を置いて前板３３と裏板２８とを配置することにより３枚構造にしたものである。このように遊技板１６は、釘保持板２７を含む３枚以上の多層構造にすることもできる。
【００３５】
３枚構造の遊技板１６は、遊技釘２６を保持する釘保持板２７が最も厚く、前後の前板３３と裏板２８とが釘保持板２７の半分以下程度で略同じ厚さか、前板３３よりも裏板２８が若干厚い程度の厚さとなっている。そして、釘保持板２７、前板３３及び裏板２８は、その外周部分の夫々の間の全周にスペーサ３４，３５を介在した状態で保持具２９により保持されている。
【００３６】
釘保持板２７には、第１の実施例と同様に遊技釘２６用の釘孔３０が形成され、その釘孔３０に遊技釘２６が圧入により挿入されている。裏板２８には各遊技釘２６に対応して半球面状の小さい凹部３６が機械加工等により形成され、その凹部３６内で遊技釘２６の球面端部２６ｃが裏板２８に当接又は近接している。前板３３には、遊技釘２６の本体部２６ａが微小間隙等の所定の間隙を介して遊嵌状に貫通する貫通孔３７が形成されている。スペーサ３４，３５は枠状に構成されているが、各辺毎に分割しても良い。各板２７，２８，３３は平板である。
【００３７】
このように釘保持板２７の前面に前板３３を配置することにより、釘保持板２７を前後両側から硬い板材で保護することができ、遊技板１６の損傷を極力防止することができる。特に前板３３はその前面に沿って遊技領域Ａ内を遊技球が移動するので、前板３３に硬い材料を使用することにより、遊技球の接触痕の発生を未然に防止することができる。
【００３８】
また釘保持板２７の前側に、遊技釘２６が貫通する前板３３がある場合、遊技釘２６を前板３３の貫通孔３７にも圧入すれば、遊技釘２６の圧入時に前板３３が釘保持板２７に湾曲して、遊技板１６の中央部分では釘保持板２７と前板３３との間隙Ｓ１が小さくなる惧れがある。しかし、前板３３の貫通孔３７に遊技釘２６が遊嵌しているので、釘保持板２７と前板３３との間隙Ｓ１を一定に保つことができる。また本体部２６ａの球面端部２６ｃが裏板２８の凹部３６に嵌合しているため、これによって釘保持板２７と裏板２８とを位置決めすることも可能である。
【００３９】
更に遊技板１６が釘保持板２７とその前後の前板３３と裏板２８とに分かれており、しかも釘保持板２７とその前後の前板３３及び裏板２８との間に微小な間隙Ｓ１，Ｓ２があるため、前後の前板３３、裏板２８により、遊技釘２６を有する釘保持板２７に直接衝撃が加わらないように、その衝撃を緩和又は分散させることができる。
【００４０】
なお、この実施例では、前板３３の貫通孔３７に頭部２６ｂ付きの遊技釘２６を挿通しているため、釘保持板２７に遊技釘２６を挿入した後は、遊技釘２６を抜かない限り釘保持板２７と前板３３とを分離できない。従って、前枠４は裏板２８とは別に釘保持板２７に対して予め固定しておいても良い。また釘保持板２７とその前後の前板３３及び裏板２８との間に微小な間隙Ｓ１，Ｓ２を設けているが、釘保持板２７の前後両面に前板３３、裏板２８を面接触させても良い。その場合には、遊技釘２６を前板３３の貫通孔３７に対して圧入しても良い。
【００４１】
図１１は本発明の第４の実施例を例示する。遊技板１６の外周側の保持具２９は、図１１（ａ）〜（ｄ）に示すようなものでも良い。図１１（ａ）〜（ｄ）では、保持枠２９ａは釘保持板２７、裏板２８、前板３３の端縁部に外側から着脱自在に嵌合する断面コ字状であって、各辺毎の４個、又は隣り合う２辺毎の２個に分割される等、周方向の複数個に分割されており、その個々の対向端部をネジ２９ｈで結合するようになっている。このように保持具２９は、遊技板１６に対して外側から着脱自在に嵌合して、その保持具２９同士を結合するか、又は各保持具２９をネジ２９ｈ等で遊技板１６に固定しても良い。
【００４２】
なお、図１１（ａ）（ｂ）では保持具２９内にスペーサ３４，３５を一体に備え、また図１１（ｃ）（ｄ）では保持具２９内に溝３４ａ，３５ａを設け、その各溝３４ａ，３５ａにスペーサ３４，３５を着脱自在に挿入している。
【００４３】
図１２、図１３は本発明の第５の実施例を例示する。釘保持板２７と裏板２８との間、釘保持板２７と前板３３との間等、前後に隣り合う板２７，２８，３０相互間には、図１２、図１３に示すように装飾用その他のシート４０を介在しても良い。この実施例では、釘保持板２７と裏板２８との間に、これらと略同じ大きさか、又は若干小さい程度のシート４０が介在されている。
【００４４】
シート４０は可撓性を有する透明なものであって、その前面又は裏面に、液晶表示手段６の表示領域を制限する遮蔽部４１、特別図柄表示部３２等の所定の表示部分を区画する矩形状の表示枠４２、特別図柄３２ａの図柄変動の保留個数を表示する保留表示部４３等が表示されると共に、そのキャラクタ等の装飾図柄（図示省略）が表示されている。
【００４５】
遮蔽部４１は遊技領域Ａの外側等、シート４０の周辺部分に不透明なインク、塗料等により印刷されている。表示枠４２、キャラクタ等の装飾図柄は半透明又は不透明なインク、塗料等により印刷されている。保留表示部４３は例えば液晶表示手段６側を透視可能な所定数の透視部４３ａを除いてその周辺を半透明又は不透明なインク、塗料等により印刷され、特別図柄３２ａの変動中に始動手段２２が遊技球の入賞を検出した場合に、その検出個数分の保留個数に対応する透視部４３ａの背後で液晶表示手段６が発光して、その透視部４３ａの発光により保留を表示するようになっている。
【００４６】
なお、シート４０には遊技釘２６に対応する部分、始動手段２２、大入賞手段２３、普通入賞手段２４等の所定の遊技部品の装着孔、球通過孔等に対応する部分に開口部４４が夫々形成されている。図１２の斜線部分は、シート４０の印刷部分を示す。
【００４７】
このように隣り合う板２７，２８，３０相互間に装飾用その他のシート４０を介在することによって、各板２７，２８，３０が透明であるにも拘わらず遊技板１６に装飾性等を持たせることができると共に、その板２７，２８，３０でシート４０を保護することができる。また印刷に際しても、可撓性を有するシート４０に印刷をすれば良いので、板２７，２８，３０に印刷する場合に比較して容易にできる。
【００４８】
以上、本発明の各実施例について詳述したが、本発明はこの実施例に限定されるものではなく、趣旨を逸脱しない範囲内で種々の変更が可能である。例えば、第１の実施例では釘保持板２７と裏板２８とにより遊技板１６を構成し、また第２の実施例ではそれに前板３３を加えているが、遊技板１６は複数枚の板材により構成すれば良い。また各板材は遊技釘２６の挿入前に接着等で一体化しても良い。
【００４９】
各板２７，２８，３３の厚さは適宜決定すれば良い。例えば、第１の実施例では、釘保持板２７の厚さが裏板２８より薄くなっているが、釘保持板２７の厚さを厚くして、裏板２８の厚さを釘保持板２７の厚さの半分以下にする等、釘保持板２７を裏板２８よりも厚くしても良い。
【００５０】
各板２７，２８，３３に使用する合成樹脂材料は、透明なものであれば十分である。また釘保持板２７、前板３３、裏板２８等は前後両面とも平滑状であり、略全体が同一厚さで平行であることが望ましいが、遊技領域Ａの中央上部で液晶表示手段６の特別図柄表示部３２に対応する領域を除く部分には、複数枚の板材の内、少なくとも１枚の板材の前後両面の少なくとも一面を梨地模様等の粗面状又は凹凸状に形成する等して、特別図柄表示部３２に比較して、その周辺部分の画像が不鮮明となるように変化を持たせても良い。
【００５１】
板２７，２８，３３相互間にシート４０を介在する場合、そのシート４０は透明でも良いし、不透明又は半透明の材料を所定の形状に切り取ったシート４０を介在しても良い。また板２７，２８，３３相互間にスペーサ３４，３５を介在する場合には、そのスペーサ３４，３５をゴム等の弾性材により構成しても良い。また保持具２９の外周側に保護用の弾性材を設けても良いし、保持具２９に周方向に所定間隔をおいて緩衝材を設けても良い。
【符号の説明】
【００５２】
５  遊技盤
６  画像表示装置（液晶表示手段）
１６  遊技板
２６  遊技釘
２７  釘保持板
２８  裏板
２９  保持具
３０  釘孔
３３  前板
３６  凹部
３７  貫通孔
【図１】
2010188161.tif 000003
【図２】
2010188161.tif 000004
【図３】
2010188161.tif 000005
【図４】
2010188161.tif 000006
【図５】
2010188161.tif 000007
【図６】
2010188161.tif 000008
【図７】
2010188161.tif 000009
【図８】
2010188161.tif 000010
【図９】
2010188161.tif 000011
【図１０】
2010188161.tif 000012
【図１１】
2010188161.tif 000013
【図１２】
2010188161.tif 000014
【図１３】
2010188161.tif 000015
【手続補正書】
【提出日】平成22年5月10日(2010.5.10)
【手続補正１】
【補正対象書類名】特許請求の範囲
【補正対象項目名】全文
【補正方法】変更
【補正の内容】
【特許請求の範囲】
【請求項１】
透明な合成樹脂製の遊技板を有する遊技盤と、前記遊技板の裏側に配置された画像表示装置とを備えた弾球遊技機において、前記遊技板は多数の釘孔が前後方向に貫通状に形成され且つ該各釘孔に遊技釘が挿入された釘保持板を備え、該釘保持板の裏面に、前記画像表示装置の画像を透視可能な透視部を有する装飾用シートを設けたことを特徴とする弾球遊技機。
【手続補正２】
【補正対象書類名】明細書
【補正対象項目名】００１０
【補正方法】変更
【補正の内容】
【００１０】
本発明は、透明な合成樹脂製の遊技板を有する遊技盤と、前記遊技板の裏側に配置された画像表示装置とを備えた弾球遊技機において、前記遊技板は多数の釘孔が前後方向に貫通状に形成され且つ該各釘孔に遊技釘が挿入された釘保持板を備え、該釘保持板の裏面に、前記画像表示装置の画像を透視可能な透視部を有する装飾用シートを設けたものである。
【手続補正３】
【補正対象書類名】明細書
【補正対象項目名】００１１
【補正方法】削除
【補正の内容】